【手続補正書】
【提出日】平成19年8月30日(2007.8.30)
【手続補正１】
【補正対象書類名】特許請求の範囲
【補正対象項目名】全文
【補正方法】変更
【補正の内容】
【特許請求の範囲】
【請求項１】
生検後キャビティ処理移植片であって、
放射線不透過性要素と、
前記放射線不透過性要素に連結されたコア部分であって、第１の制御された孔アーキテクチャを画成する第１の多孔性マトリクスを含むコア部分と、
前記コア部分に連結されたシェル部分であって、前記第１の制御された孔アーキテクチャとは異なる第２の制御された孔アーキテクチャを画成する第２の多孔性マトリクスを含むシェル部分と、
を具備する生検後キャビティ処理移植片。
【請求項２】
前記コア部分は、前記放射線不透過性要素を囲繞する請求項１記載の生検後キャビティ処理移植片。
【請求項３】
前記シェル部分は前記コア部分を囲繞する請求項１記載の生検後キャビティ処理移植片。
【請求項４】
前記コア部分は前記放射線不透過性要素を囲繞し且つ前記シェル部分は前記コア部分を囲繞する請求項１記載の生検後キャビティ処理移植片。
【請求項５】
前記シェル部分は、前記移植片が生体液環境に置かれるときに、前記コア部分よりも速く膨張する請求項１記載の生検後キャビティ処理移植片。
【請求項６】
前記シェル部分は、前記移植片が前記生体液環境に置かれるときに、前記コア部分よりもより大きな程度へ膨張する請求項１記載の生検後キャビティ処理移植片。
【請求項７】
前記第１の制御された孔アーキテクチャは、前記第２の制御された孔アーキテクチャとは、孔密度、孔形状、孔配向、および、孔寸法の少なくとも１つに関して異なる請求項１記載の生検後キャビティ処理移植片。
【請求項８】
前記放射線不透過性要素は、常磁性特性を有する部分を含む請求項１記載の生検後キャビティ処理移植片。
【請求項９】
前記コア部分および前記シェル部分の少なくとも一方は、その中に配置された染料を含む請求項１記載の生検後キャビティ処理移植片。
【請求項１０】
前記コア部分および前記シェル部分の少なくとも一方は、その中に配置された顔料を含む請求項１記載の生検後キャビティ処理移植片。
【請求項１１】
前記コア部分および前記シェル部分の少なくとも一方は、その中に配置された造影剤を含む請求項１記載の生検後キャビティ処理移植片。
【請求項１２】
前記コア部分および前記シェル部分の少なくとも一方は、その中に配置された治療剤を含む請求項１記載の生検後キャビティ処理移植片。
【請求項１３】
前記コア部分および前記シェル部分の少なくとも一方は、生体分解性である請求項１記載の生検後キャビティ処理移植片。
【請求項１４】
少なくとも前記シェル部分は、コラーゲンを含む請求項１記載の生検後キャビティ処理移植片。
【請求項１５】
前記コア部分は、ポリラクチド（ＰＬＡ）、ポリグリコリド（ＰＧＡ）、ポリ（ラクチド−コ−グリコリド）（ＰＬＧＡ）、ポリグリコネート、ポリアンヒドリド、ＰＥＧ、セルロース、ゼラチン、脂質、多糖類、デンプン、および、ポリオルトエステルの少なくとも１つを含む請求項１記載の生検後キャビティ処理移植片。
【請求項１６】
前記コア部分および前記シェル部分は、薄層構造を形成するように構成される請求項１記載の生検後キャビティ処理移植片。
【請求項１７】
前記コア部分および前記シェル部分の少なくとも一方は、エコー性である請求項１記載の生検後キャビティ処理移植片。
【請求項１８】
少なくとも前記シェル部分は、複数のファイバを含む請求項１記載の生検後キャビティ処理移植片。
【請求項１９】
前記コア部分および前記シェル部分の少なくとも一方は、染料、顔料および治療剤の少なくとも１つを含むように構成された内部溜を含む請求項１記載の生検後キャビティ処理移植片。
【請求項２０】
前記内部溜は、前記移植片が生体液環境に置かれるときに、溶離によって、染料、顔料および治療剤の少なくとも１つを送出するように構成される請求項１９記載の生検後キャビティ処理移植片。
【請求項２１】
前記内部溜は、前記溜が破られるときに第１の速度で、前記溜が破られないときには前記第１の速度よりも低い第２の速度で、染料、顔料および治療剤の少なくとも１つを送出するように構成される請求項１９記載の生検後キャビティ処理移植片。
【請求項２２】
前記シェル部分は、前記移植片が生体液環境に置かれるときに、前記コア部分よりもより大きな程度へ膨張するように構成される請求項１記載の生検後キャビティ処理移植片。
【請求項２３】
前記シェル部分はコラーゲンを含み、前記シェル部分の架橋密度は、選択された量の二価性試薬を前記コラーゲンへ加えることによって、制御される請求項１記載の生検後キャビティ処理移植片。
【請求項２４】
前記二価性試薬は、アルデヒドおよびシアナミドの少なくとも一方を含む請求項２３記載の生検後キャビティ処理移植片。
【請求項２５】
前記アルデヒドは、グルタルアルデヒドを含む請求項２４記載の生検後キャビティ処理移植片。
【請求項２６】
前記シェル部分はコラーゲンを含み、前記シェル部分の架橋密度は、前記コラーゲンへエネルギを添加することによって、制御される請求項１記載の生検後キャビティ処理移植片。
【請求項２７】
前記エネルギの添加は、デヒドロサーマルプロセス、ＵＶ光への露出および放射線の少なくとも１つを含む請求項２６記載の生検後キャビティ処理移植片。
【請求項２８】
前記シェル部分はコラーゲンを含み、前記シェル部分の架橋密度は、デヒドロサーマルプロセスとシアナミドへの露出との組み合わせによって制御される請求項１記載の生検後キャビティ処理移植片。
【請求項２９】
移植片は、生体液環境に置かれる前の状態において、略楔形状である請求項１記載の生検後キャビティ処理移植片。
【請求項３０】
前記移植片は、生体液環境に置かれる前の状態において、複数回折られたディスクの形状を有する請求項１記載の生検後キャビティ処理移植片。
【請求項３１】
前記移植片は、生体液環境に置かれる前の状態において、矩形形状を有する請求項１記載の生検後キャビティ処理移植片。
【請求項３２】
前記シェル部分は中心部分および周辺部分を画成し、前記周辺部分は、複数の独立して動くことができる自由端を画成する請求項１記載の生検後キャビティ処理移植片。
【請求項３３】
生検後キャビティ処理移植片であって、
少なくとも１つの放射線不透過性要素と、
前記少なくとも１つの放射線不透過性要素に連結されたコア部分であって、第１の制御された孔アーキテクチャを画成する第１の多孔性マトリクスを含み、ポリラクチド（ＰＬＡ）、ポリグリコリド（ＰＧＡ）、ポリ（ラクチド−コ−グリコリド）（ＰＬＧＡ）、およびポリグリコネートの少なくとも１つを含むコア部分と、
前記コア部分に連結されたコラーゲン性シェル部分であって、前記第１の制御された孔アーキテクチャとは異なる第２の制御された孔アーキテクチャを画成する第２の多孔性マトリクスを含むコラーゲン性シェル部分と、
を具備する生検後キャビティ処理移植片。
【請求項３４】
前記コア部分は、前記放射線不透過性要素を囲繞する請求項３３記載の生検後キャビティ処理移植片。
【請求項３５】
前記シェル部分は、前記コア部分を囲繞する請求項３３記載の生検後キャビティ処理移植片。
【請求項３６】
前記コア部分は前記放射線不透過性要素を囲繞し、前記シェル部分は前記コア部分を囲繞する請求項３３記載の生検後キャビティ処理移植片。
【請求項３７】
前記移植片が生体液環境に置かれるときに、前記コア部分は、第１の制御速度で生体分解するように構成され、前記コラーゲン性シェル部分は、前記第１の制御速度よりも高い第２の制御速度で生体分解するように構成される請求項３３記載の生検後キャビティ処理移植片。
【請求項３８】
前記少なくとも１つの放射線不透過性要素は、常磁性特性を有する部分を含む請求項３３記載の生検後キャビティ処理移植片。
【請求項３９】
前記コア部分および前記コラーゲン性シェル部分の少なくとも一方は、その中に配置された染料を含む請求項３３記載の生検後キャビティ処理移植片。
【請求項４０】
前記コア部分および前記コラーゲン性シェル部分の少なくとも一方は、その中に配置された顔料を含む請求項３３記載の生検後キャビティ処理移植片。
【請求項４１】
前記コア部分および前記コラーゲン性シェル部分の少なくとも一方は、その中に配置された造影剤を含む請求項３３記載の生検後キャビティ処理移植片。
【請求項４２】
前記コア部分および前記コラーゲン性シェル部分の少なくとも一方は、その中に配置された治療剤を含む請求項３３記載の生検後キャビティ処理移植片。
【請求項４３】
前記コア部分は、ポリアンヒドリド、ＰＥＧ、セルロース、ゼラチン、脂質、多糖類、デンプン、および、ポリオルトエステルの少なくとも１つをさらに含む請求項３３記載の生検後キャビティ処理移植片。
【請求項４４】
前記コア部分および前記コラーゲン性シェル部分は、薄層構造を形成するように構成される請求項３３記載の生検後キャビティ処理移植片。
【請求項４５】
前記コア部分および前記シェル部分の少なくとも一方は、エコー性である請求項３３記載の生検後キャビティ処理移植片。
【請求項４６】
前記少なくともコラーゲン性シェル部分は、複数のファイバを含む請求項３３記載の生検後キャビティ処理移植片。
【請求項４７】
前記コア部分および前記コラーゲン性シェル部分の少なくとも一方は、染料、顔料および治療剤の少なくとも１つを含むように構成された内部溜を含む請求項３３記載の生検後キャビティ処理移植片。
【請求項４８】
前記内部溜は、前記移植片が前記生体液環境に置かれるときに、溶離によって、染料、顔料および治療剤の少なくとも１つを送出するように構成される請求項４７記載の生検後キャビティ処理移植片。
【請求項４９】
前記内部溜は、前記溜が破られるときに第１の速度で、前記溜が破られないときには前記第１の速度よりも低い第２の速度で、染料、顔料および治療剤の少なくとも１つを送出するように構成される請求項４７記載の生検後キャビティ処理移植片。
【請求項５０】
前記コラーゲン性シェル部分は、前記移植片が生体液環境に置かれるときに、前記コア部分よりもより大きな程度へ膨張するように構成される請求項４９記載の生検後キャビティ処理移植片。
【請求項５１】
前記コラーゲン性シェル部分の架橋密度は、選択された量の二価性試薬を前記コラーゲンへ加えることによって、制御される請求項３３記載の生検後キャビティ処理移植片。
【請求項５２】
前記二価性試薬は、アルデヒドおよびシアナミドの少なくとも１つを含む請求項５１記載の生検後キャビティ処理移植片。
【請求項５３】
前記アルデヒドは、グルタルアルデヒドを含む請求項５２記載の生検後キャビティ処理移植片。
【請求項５４】
前記コラーゲン性シェル部分の架橋密度は、前記コラーゲンへエネルギを添加することによって、制御される請求項３３記載の生検後キャビティ処理移植片。
【請求項５５】
前記エネルギの添加は、デヒドロサーマルプロセス、ＵＶ光への露出および放射線の少なくとも１つを含む請求項５４記載の生検後キャビティ処理移植片。
【請求項５６】
前記シェル部分の架橋密度は、デヒドロサーマルプロセスとシアナミドへの露出との組み合わせによって制御される請求項５５記載の生検後キャビティ処理移植片。
【請求項５７】
前記移植片は、生体液環境に置かれる前の状態において、略楔形状である請求項３３記載の生検後キャビティ処理移植片。
【請求項５８】
前記移植片は、生体液環境に置かれる前の状態において、複数回折られたディスクの形状を有する請求項３３記載の生検後キャビティ処理移植片。
【請求項５９】
前記移植片は、生体液環境に置かれる前の状態において、矩形形状を有する請求項３３記載の生検後キャビティ処理移植片。
【請求項６０】
前記シェル部分は中心部分および周辺部分を画成し、前記周辺部分は、複数の独立して動くことができる自由端を画成する請求項３３記載の生検後キャビティ処理移植片。
【請求項６１】
切除処置によって形成されたキャビティを処理するための処置後キャビティ移植片であって、
放射線不透過性要素と、
前記放射線不透過性要素に連結され、選択された第１の生体分解速度範囲内の第１の有効速度で生物分解するように構成されたコア部分と、
前記コア部に連結され、前記第１の生体分解速度範囲とは異なる選択された第２の生体分解速度範囲内の第２の有効速度で生物分解するように構成されたシェル部分とを備える処置後キャビティ移植片。